(57)【要約】【課題】地面に差し込まれる１本の下部ティに１本以上の長さの異なる上部ティを結合することによって望むティアップの長さに容易に調節できるゴルフ用ティを提供する。【解決手段】前記上部ティ６０は、上部にゴルフボールが安着される第２安着面６１が形成され、その下部に一定長さの胴部６４が延設され、上部ティ６０は、下端部が前記下部ティ３０の第１安着面３１に安着されるが、このため、上部ティ６０の下端部には、下部ティ３０の上端に形成された進入突起安着溝３２と結合される進入突起６５と係合溝６９が形成され、下部ティ３０は、地面に差し込まれる差込部３４と、ゴルフボールが安着される第１安着面３１と、を含み、下部ティ３０の差込部３４の上端部には、進入突起安着溝３２が凹設され、該進入突起安着溝３２において内側に突出した係止突部３９が形成され、係止突部３９は係合溝６９と係合する。【選択図】図２
2005224586.tif 000002
【特許請求の範囲】
【請求項１】
地面に差し込まれる差込部と、ゴルフボールが安着されるよう上端部に形成される第１安着面と、該安着面において凹設される進入突起安着溝と、該進入突起安着溝において内側に突設される係止突部とを含む下部ティと、
前記進入突起安着溝に結合されるように前記進入突起安着溝に対応する形状で下端に形成される進入突起と、前記係止突部と係合するように前記進入突起の上端周縁部に沿って形成される係合溝と、ゴルフボールが安着される第２安着面とを含み、前記下部ティと着脱自在に結合される上部ティと、
を含めて構成されることを特徴とする高さ調節可能ゴルフ用ティ。
【請求項２】
地面に差し込まれる差込部と、ゴルフボールが安着されるよう上端部に形成される第１安着面と、該安着面において凹設される進入突起安着溝と、該進入突起安着溝において内側に突設される係止突部とを含む下部ティと、
前記進入突起安着溝に結合されるようにこの進入突起安着溝に対応する形状で下端に形成される進入突起と、前記係止突部と係合するように前記進入突起の上端周縁部に沿って形成される係合溝と、上端において一定長さだけ上方へ突設される進入部とを含む第２上部体と、ゴルフボールが安着するように上端に形成される第２安着面と、前記進入部が上下移動できるように内部に形成されるガイド穴とを含む第１上部体と、を含む上部ティと、
を含めてなること特徴とする高さ調節可能ゴルフ用ティ。
【請求項３】
前記第１上部体のガイド溝の内壁面には螺旋状の溝が形成され、前記第２上部体の進入部の上端部外周面には螺旋状の突起が形成されて、該螺旋状の突起が前記螺旋状の溝を移動することにより上部ティの高さが調節されることを特徴とする請求項２に記載の長さ調節可能ゴルフ用ティ。
【発明の詳細な説明】
【技術分野】
【０００１】
本発明は、打者がティグラウンド(Tee Ground；各ホールのスタート位置)内でティショットをするとき、芝の地面に突き刺してその上にボールを載せて打つゴルフ用ティ(Tee)に関する。
【背景技術】
【０００２】
ゴルフ用ティは、ティショットのときボールを地面から離して支えるために使用されるものであり、打者は長さの異なる３つのゴルフ用ティを持ち歩きながら使用するのが普通である。このようなゴルフ用ティの一般的な形態を図１ａに示す。図１ａに示すように、ゴルフ用ティ１００は、全体的に略逆円錘形からなり、上端部にゴルフボール５を載せて置くように円形の皿模様に凹んだ載置台と、該載置台の下部において下方へ行くほどその直径が狭まりながら内側へ向かって曲線を形成する脚部とから構成される。
ここで、前記脚部は、下側の所定地点から先端まで一定の直径を有し、その先端は尖っており一層地面に突き刺し易くなっている。
【０００３】
ティ１００を地面に突き刺すとき、ティグラウンドから最上端部までの高さであるティアップの高さはおよそ３〜４ｃｍが適正であるとされているが、この高さはあくまでも一般的な数値であり、打者は自分の身長や体型、そしてゴルフクラブの特性に基づいてティアップの高さを適宜調節する必要がある。このため、打者は長さの異なる数本のゴルフ用ティを持ち歩きながら適宜のものを選択し使用しなければならず、不便であった。
【０００４】
つまり、従来のゴルフティ１００はそれ自身では長さ調節機能がないため、打者は、長さの異なる数本(通常、３本)のゴルフティを持ち歩きながら各ティグラウンドの特性に合わせて数本のゴルフティから適宜のもの選別して使用しなければならず、不便で面倒であった。
【０００５】
上記の点を解決するために、長さの異なる数本のティを紐で連結したゴルフ用ティが、特許文献１及び特許文献２などで提示された。特に、特許文献２は、図１ｂに示すように、革材質の本体１に形成された穴９に、紐８でお互い連結された３種類のティ４を嵌め、持ち歩き易くした。
【０００６】
一方、３種類のティを持ち歩く不便さを改善するために長さ調節可能なゴルフ用ティに関する発明が特許文献３等に開示され、また、ティを持ち歩く際、人か地面に差し込まれる尖端部に刺されるのを防止するためのゴルフ用ティが特許文献１に開示された。
【特許文献１】大韓民国登録実用第２０-０３２７５６１号公報
【特許文献２】特許第１０-０３７９７５０号
【特許文献３】大韓民国実用登録第２０-０２５０２７１号
【発明の開示】
【発明が解決しようとする課題】
【０００７】
本発明は、新概念の高さ調節可能なゴルフ用ティを提供することにその目的がある。
【課題を解決するための手段】
【０００８】
本発明のゴルフ用ティは、上部ティと下部ティとから構成され、これら上部ティと下部ティを着脱することによってティの全体高さを望む高さに調節して使用することにその特徴がある。
【０００９】
前記上部ティは、前記下部ティの上端に結合され、上部にゴルフボールが安着される 第２安着面を有する。また、前記下部ティは、地面に差し込まれる差込部と、ゴルフボールが安着される第１安着面とを含む。これら上部ティと下部ティは互いに着脱自在に構成される。
【００１０】
したがって、下部ティを単独使用して高さを最も小さくすることもでき、下部ティと上部ティを結合して使用時より高さを大きくして使用することもできる。
【００１１】
上部ティの下端部が下部ティの上端部にはめ込まれるように構成されるが、このため、下部ティの上端部においては進入突起安着溝が凹設され、上部ティの下端部には進入突起が形成され、該進入突起が前記進入突起安着溝にはめ込まれることによって上部ティと下部ティが結合される。また、前記進入突起安着溝において内側に突出される係止突部が形成され、該係止突部と係合されるように前記進入突起の上端周縁部には係合溝が形成される。
【００１２】
また、本発明の他の側面による高さ調節可能ゴルフ用ティは、地面に差し込まれる差込部と、ゴルフボールが安着されるよう上端部に形成される第１安着面と、該安着面において凹設される進入突起安着溝と、該進入突起安着溝において内側に突設される係止突部とを含む下部ティと、前記進入突起安着溝に結合されるように前記進入突起安着溝に対応する形状で下端部に形成される進入突起と、前記係止突部と係合するように前記進入突起の上端周縁部に沿って形成される係合溝と、上端において一定長さだけ上方へ突設される進入部とを含む第２上部体と、ゴルフボールが安着するように上端に形成される第２安着面と、前記進入部が上下移動できるように内部に形成されるガイド穴とを含む第１上部体と、を含む上部ティと、を含めてなる。
【００１３】
これにより、上部ティ自体でも長さ調節が可能になり、より多様なティアップの高さを具現できる。
【発明の効果】
【００１４】
上述の如く、本発明は、地面に突き刺す１本の下部ティに１本以上の異なる長さを有する上部ティを結合することによって、所望のティアップの高さに容易に調節できるゴルフ用ティが提供できる。
【発明を実施するための最良の形態】
【００１５】
以下、本発明のティを詳細に説明する。
本発明の一実施例によるゴルフ用ティは、上部ティとこれに着脱自在に結合される下部ティとを含む。上部ティと下部ティはそれぞれ、単独に地面に突き刺されて使用されるように上端部にゴルフボールが安着される安着面が形成される。各安着面は円形の皿模様であってもよく、四角形を含む多角形の形態であってもよい。また、安着面の外周縁には軟質の材料からなる支え毛(brush)が立設される。本発明の一実施例では、前記安着面を円形にし、その円周面に沿って支え毛が一定の間隔をおいて立てられている。
【００１６】
好ましくは、前記下部ティだけがグラウンドに突き刺されるように構成し、上部ティは高さ調節のために使用するとよい。また、前記上部ティは異なる長さをもつ２本を用意し、これらを紐で連結して使用してもよいが、こうすると、３つの高さに調節可能なゴルフ用ティが具現できる。
【００１７】
本発明の他の実施例では、上部ティ自体が長さ調節機能を有するように構成される。つまり、上部ティを２部分に別途構成して上部ティ自体の長さを調節可能にしたことに特徴がある。これによれば、下部ティ単独では長さの最も短いティとして活用可能であり、下部ティに上部ティを結合して使用すると、下部ティ単独使用のときより長いティとして活用可能である。また、下部ティに上部ティを結合する上に、上部ティ自体の長さも調節可能なのでティの全体高さを一層様々にすることができる。
【００１８】
本発明の他の実施例によるゴルフティは、上部ティと下部ティとから構成され、上部ティの下端部が下部ティの上端部にはめ込まれる。下部ティの上端部においては進入突起安着溝が凹設される。上部ティは、第１上部体と第２上部体とを含み、第１上部体と第２上部体の相対的位置により上部ティの全体的な長さを調節する。第２上部体は、下部ティの進入突起安着溝にはめ込まれるように進入突起安着溝に対応する形状で下端部において形成される進入突起と、下部ティの係止突部に係合されるように進入突起の上端外周縁に沿って形成される係合溝と、上端において一定の長さだけ上方に突設される進入部とを含む。第１上部体は、上端にはゴルフボールが安着される第２安着面が形成され、内部には前記進入部が上下移動するガイド溝を含む。前記進入部は、第１上部体と第２上部体の相対的運動のために第２上部体に提供される、実質的にガイドの役割を果たす構成要素である。ガイド溝の内壁面と進入部の外周面に雌ネジと雄ネジを各々形成できる。好ましくは、ガイド溝の内壁面に螺旋状の溝が形成され、進入部の上端外周面には前記螺旋状の溝に噛合って回転移動する螺旋状の突起が形成される。
【００１９】
下部ティは単独で地面に突き刺されて使用できるように上端部にゴルフボールが安着される第１安着面が形成される。本実施例の下部ティは上述した一実施例のそれと機能及び構造において同一である。
【００２０】
以下、添付図面を参照しつつ本発明の好ましい実施例を具体的に説明する。
図２は、本発明の一実施例による長さ調節可能ティの結合状態を示す断面図であり、図３ａ及び図３ｂはそれぞれ、図２に示したティの上部ティ及び下部ティの断面図である。
【００２１】
まず、図２を参照すれば、本発明の長さ調節可能なゴルフ用ティは、下部ティ３０と、この下部ティ３０に着脱自在に結合される上部ティ６０とを含む。
【００２２】
前記上部ティ６０は、図３ａに示すように、上部にゴルフボールが安着される第２安着面６１が形成され、その下部に一定長さの胴部６４が延設される。また、上部ティ６０は、下端部が前記下部ティ３０の第１安着面３１に安着されるが、このため、上部ティ６０の下端部には、下部ティ３０の上端に形成された進入突起安着溝３２と結合される進入突起６５と係合溝６９が形成される。
【００２３】
また、下部ティ３０は、図３ｂに示すように、地面に差し込まれる差込部３４と、ゴルフボールが安着される第１安着面３１と、を含む。また、下部ティ３０の差込部３４の上端部には、進入突起安着溝３２が凹設され、該進入突起安着溝３２において内側に突出した係止突部３９が形成されている。係止突部３９は係合溝６９と係合するものである。
【００２４】
前記第１安着面３１と第２安着面６１は、円形となっており、それらの円周上には軟質の樹脂からなる支え毛３３、６３が一定の間隔をおいて形成されている。本実施例では前記安着面が円形で例示されているが、四角形を含む多角形に形成されてもよい。
【００２５】
本実施例では、上部ティ６０を下部ティ３０に単にはめ込むことで簡単に相互結合でき、また、上部ティ６０を下部ティ３０から斜めにして引き抜くだけで簡単に分離できる。したがって、本実施例によれば、下部ティ３０を単独に使用したり、下部ティ６０に上部ティ３０を結合して使用したりすることによって、ティアップの高さを調節することができる。
【００２６】
また、上部ティ６０と下部ティ３０をお互い紐(図示せず)で連結して使用してもよく、１本の下部ティ３０に２本の上部ティ６０を紐で連結して使用してもよい。ここで、２本の上部ティ６０を使用するときには、長さの異なる上部ティ６０を使用することによって、より容易に望むティアップ高さにすることができる。
【００２７】
図４ａ及び図４ｂは本発明の他の実施例による上部ティの断面図であり、特に、図４ａは、進入部がガイド溝内に進入した状態を示し、図４ｂは、進入部がガイド溝から突出された状態を示す。図４ａ及び４ｂに示すように、上部ティ９０は、第１上部体９０ａと第２上部体９０ｂとを含む。第１上部体９０ａは、上端部においてゴルフボール５が安着される第２安着面９１が形成され、該第２安着面９１の下部には一定長さの胴部９７が延設され、該胴部９７の中央には下方からガイド溝９８が形成される。前記ガイド溝９８の内壁面には螺旋状の溝８８が刻み込まれている。
【００２８】
図４ｂに示す通り、第２上部体９０ｂは、前記ガイド溝９８の内壁面に刻み込まれた螺旋状の溝８８に沿って回転しながら上下移動できるように上部に螺旋状の突起８１が形成された進入部９４を含む。また、第２上部体９０ｂの下端部には、下部ティ３０の上端に形成された進入突起安着溝３２に挿入される進入突起９５と係合溝９９が形成されている。前記進入部９４には上部ティの高さを表す目盛り(図示せず)を表示してもよい。この係合溝９９は係止突部３９と係合するものである。係合溝９９と進入部９４との間に段差部９６が形成されている。
【００２９】
本実施例において、前記上部ティ９０と結合される下部ティは、図３ｂに示した一実施例の下部ティ３０と同一の構成を有する。
本実施例もまた、上部ティ９０を単に下部ティ３０にはめ込むだけで簡単に相互結合でき、また、上部ティ９０を下部ティ３０から斜めにして引き抜くだけで簡単に分離できる。したがって、本実施例によれば、下部ティ３０を単独に使用したり、下部ティ３０に上部ティ９０を結合して使用したりすることによって、ティアップの高さを調節することができる。かつ、図６ｂ及び図６ｃに示すように、第１上部体９０ａ及び第２上部体９０ｂをお互い回すことにより上部ティ９０自体でも高さ調節が可能であり、より高精度のティアップの高さが実現できる。
【００３０】
図５ａ及び図５ｂは、本発明のさらに他の実施例による上部ティ９０の断面図である。図５ａ及び図５ｂの実施例は、下記の相違点以外は、図４ａ及び図４ｂに示した実施例と同様に構成される。上部ティ９０の係合溝９９の上部に形成される段差部９６が図４ａ及び図４ｂに示した実施例の段差部９６よりも長く形成され、胴部９７内のガイド溝９８に突入するように設定されている。また段差部９６が小径とされる。段差部９６の上部に段差をもって進入部９４が形成される。また、進入部９４は前記段差部９６よりも縮径されていて、螺旋突起が形成される。上部ティ９０の胴部９７が前記段差部９６を常時覆うように構成されている。胴部９７の下部内の溝９８は、段差部９６と進入部９４に対応した段差を設けている。本実施例では、上部ティ９０の高さを表す目盛り(図示せず)が段差部９６に表示され、遊技者が視覚で確認し易くなっている。
【００３１】
以上から説明してきた上部ティ９０と下部ティ３０は、図６ａ〜図６ｃに示すように、お互い紐１００で連結して使用可能であり、１本の下部ティ３０に１本以上の異なる長さを有する上部ティ９０を紐で連結して使用することもできる。
【００３２】
また、本発明の高さ調節可能ゴルフ用ティは、公知のプラスチック樹脂で作製される。つまり、上部ティ６０の胴部６４と下部ティ３０の差込部３４は、硬質のポリカーボネートなどの樹脂で作り、安着面の支え毛３３、６３、９３はポリウレタンなどの軟質の樹脂で成形する。
【産業上の利用可能性】
【００３３】
地面に差し込まれる１本の下部ティに１本以上の長さの異なる上部ティを結合することによって望むティアップの長さに容易に調節できるゴルフ用ティを提供する。
【図面の簡単な説明】
【００３４】
【図１ａ】従来のゴルフ用ティを例示する図である。
【図１ｂ】従来の他のゴルフ用ティを例示する図である。
【図２】本発明の一実施例による長さ調節可能ゴルフ用ティの結合状態を示す断面図である。
【図３ａ】図２に示したゴルフ用ティの上部ティを示す断面図である。
【図３ｂ】図２に示したゴルフ用ティの下部ティを示す断面図である。
【図４ａ】本発明の他の実施例よる長さ調節可能ゴルフ用ティの上部ティを示す断面図であり、進入部がガイド溝内に進入した状態を示す図である。
【図４ｂ】同じく、進入部がガイド溝から突出した状態を示す図である。
【図５ａ】本発明のさらに他の実施例による長さ調節可能ゴルフ用ティの上部ティを示す断面図であり、進入部がガイド溝内に進入した状態を示す図である。
【図５ｂ】同じく、進入部がガイド溝から突出した状態を示す図である。
【図６ａ】本発明に係る長さ調節可能ゴルフ用ティの使用状態図１である。
【図６ｂ】本発明に係る長さ調節可能ゴルフ用ティの使用状態図２である。
【図６ｃ】本発明に係る長さ調節可能ゴルフ用ティの使用状態図３である。
【符号の説明】
【００３５】
３０…下部ティ
３１…第１安着面
３２…進入突起安着溝
３３…支え毛
３４…差込部
６０…上部ティ
６１…第２安着面
６３…支え毛
６４…胴部
【図１ａ】
2005224586.tif 000003
【図１ｂ】
2005224586.tif 000004
【図２】
2005224586.tif 000005
【図３ａ】
2005224586.tif 000006
【図３ｂ】
2005224586.tif 000007
【図４ａ】
2005224586.tif 000008
【図４ｂ】
2005224586.tif 000009
【図５ａ】
2005224586.tif 000010
【図５ｂ】
2005224586.tif 000011
【図６ａ】
2005224586.tif 000012
【図６ｂ】
2005224586.tif 000013
【図６ｃ】
2005224586.tif 000014